(57)【要約】【課題】  吸引力を低下させることなく吸引ヘッドの動作の円滑化を図ることができる吸引機を提供すること。【解決手段】  吸引機構と集塵機構が内装された吸引機本体と、上記吸引機本体側に連通され被清掃面側を開口とした吸引ヘッドと、上記吸引ヘッド内に設置されその先端を上記開口を介して上記被清掃面側に突出させた超音波振動子と、上記超音波振動子に電圧を印加する超音波発振器と、を具備したことで吸引ヘッドの動作の円滑化を図ることができるもの。【選択図】  図２
2018099157.tif 000002
【特許請求の範囲】
【請求項１】
吸引機構と集塵機構が内装された吸引機本体と、
上記吸引機本体側に連通され被清掃面側を開口とした吸引ヘッドと、
上記吸引ヘッド内に設置されその先端を上記開口を介して上記被清掃面側に突出させた超音波振動子と、
上記超音波振動子に電圧を印加する超音波発振器と、
を具備したことを特徴とする吸引機。
【請求項２】
請求項１記載の吸引機において、
上記超音波振動子は上記吸引ヘッドの進行方向側に偏って設けられていることを特徴とする吸引機。
【請求項３】
請求項１又は請求項２記載の吸引機において、
上記超音波振動子は複数個所に設けられていることを特徴とする吸引機。
【請求項４】
請求項１〜請求項３の何れかに記載の吸引機において、
上記超音波振動子の先端部外周角部には面取加工又は曲面加工が施されていることを特徴とする吸引機。
【請求項５】
請求項１〜請求項４の何れかに記載の吸引機において、
上記超音波振動子の上記被清掃面側にはカバが設置されていることを特徴とする吸引機。
【請求項６】
請求項５記載の吸引機において、
上記カバの反被清掃面側には緩衝材が設置されていることを特徴とする吸引機。
【請求項７】
請求項１〜請求項６の何れかに記載の吸引機において、
上記超音波発振器は上記吸引機本体内に内装されていることを特徴とする吸引機。
【請求項８】
請求項１〜請求項７の何れかに記載の吸引機において、
上記吸引ヘッドは吸引ホースと吸引ノズルを介して上記吸引機本体に連通されていることを特徴とする吸引機。
【発明の詳細な説明】
【技術分野】
【０００１】
本発明は、例えば、電気掃除機、集塵機、クリーナ、等の吸引機に係り、特に、吸引力を低下させることなく吸引ヘッドの動作の円滑化を図ることができるように工夫したものに関する。
【背景技術】
【０００２】
従来の吸引機の構成を開示するものとして、例えば、特許文献１がある。この特許文献１に記載された発明による電気掃除機及びその吸引ヘッドの場合には、本体に電動送風機と集塵装置が設置されていて、また、ホースを介して吸引ヘッドが接続されている。上記電動送風機を駆動させることによって、上記吸引ヘッド内に負圧を発生させ、この負圧により吸込み口から被清掃面側の塵埃を空気とともに吸込み、上記集塵装置にて捕集する。
【先行技術文献】
【特許文献】
【０００３】
【特許文献１】特開２００６−１７４８５９号公報
【発明の概要】
【発明が解決しようとする課題】
【０００４】
上記従来の構成によると、次のような問題があった。
特許文献１に記載された構成の場合、塵埃を効果的に吸引するためには、吸込み口と被清掃面との間の隙間を小さくして吸引ヘッド内の真空度を高くする必要がある。しかし、上記吸込み口と上記被清掃面との間の隙間を小さくして真空度を高めると、上記吸引ヘッドが上記被清掃面に貼り付いてしまい、円滑な清掃作業の妨げになってしまうという問題があった。
なお、上記吸込み口と上記被清掃面との隙間を大きくすると、吸引ヘッドの貼り付きは防止されるが、上記吸引ヘッド内の真空度が低下して吸引力が落ちてしまう。
これは、電気掃除機だけでなく、集塵機、クリーナ、等でも同様にいえることである。
【０００５】
本発明はこのような点に基づいてなされたものでその目的とするところは、吸引力を低下させることなく吸引ヘッドの動作の円滑化を図ることが可能な吸引機を提供することにある。
【課題を解決するための手段】
【０００６】
上記課題を解決するべく本願発明の請求項１による吸引機は、吸引機構と集塵機構が内装された吸引機本体と、上記吸引機本体側に連通され被清掃面側を開口とした吸引ヘッドと、上記吸引ヘッド内に設置されその先端を上記開口を介して上記被清掃面側に突出させた超音波振動子と、上記超音波振動子に電圧を印加する超音波発振器と、を具備したことを特徴とするものである。
又、請求項２による吸引機は、請求項１記載の吸引機において、上記超音波振動子は上記吸引ヘッドの進行方向側に偏って設けられていることを特徴とするものである。
又、請求項３による吸引機は、請求項１又は請求項２記載の吸引機において、上記超音波振動子は複数個所に設けられていることを特徴とするものである。
又、請求項４による吸引機は、請求項１〜請求項３の何れかに記載の吸引機において、上記超音波振動子の先端部外周角部には面取加工又は曲面加工が施されていることを特徴とするものである。
又、請求項５による吸引機は、請求項１〜請求項４の何れかに記載の吸引機において、上記超音波振動子の上記被清掃面側にはカバが設置されていることを特徴とするものである。
又、請求項６による吸引機は、請求項５記載の吸引機において、上記カバの反被清掃面側には緩衝材が設置されていることを特徴とするものである。
又、請求項７による吸引機は、請求項１〜請求項６の何れかに記載の吸引機において、上記超音波発振器は上記吸引機本体内に内装されていることを特徴とするものである。
又、請求項８による吸引機は、請求項１〜請求項７の何れかに記載の吸引機において、上記吸引ヘッドは吸引ホースと吸引ノズルを介して上記吸引機本体に連通されていることを特徴とするものである。
【発明の効果】
【０００７】
以上述べたように本願発明の請求項１による吸引機によると、吸引機構と集塵機構が内装された吸引機本体と、上記吸引機本体側に連通され被清掃面側を開口とした吸引ヘッドと、上記吸引ヘッド内に設置されその先端を上記開口を介して上記被清掃面側に突出させた超音波振動子と、上記超音波振動子に電圧を印加する超音波発振器と、を具備したので、上記超音波振動子により吸引力を低下させることなく円滑に上記吸引ヘッドを移動させることができる。
又、請求項２による吸引機によると、請求項１記載の吸引機において、上記超音波振動子は上記吸引ヘッドの進行方向側に偏って設けられているので、簡易な構成により効果的に上記摩擦を低減できる。
又、請求項３による吸引機によると、請求項１又は請求項２記載の吸引機において、上記超音波振動子は複数個所に設けられているので、効果的に上記摩擦を低減できる。
又、請求項４による吸引機によると、請求項１〜請求項３の何れかに記載の吸引機において、上記超音波振動子の先端部外周角部には面取加工又は曲面加工が施されているので、より円滑に上記吸引ヘッドを移動させることができる。
又、請求項５による吸引機によると、請求項１〜請求項４の何れかに記載の吸引機において、上記超音波振動子の上記被清掃面側にはカバが設置されているので、このカバを振動させることで効果的に上記摩擦を低減できる。
又、請求項６による吸引機によると、請求項５記載の吸引機において、上記カバの反被清掃面側には緩衝材が設置されているので、上記吸引ヘッド側への振動の漏れが抑制され、更に効果的に上記摩擦を低減できる。
又、請求項７による吸引機によると、請求項１〜請求項６の何れかに記載の吸引機において、上記超音波発振器は上記吸引機本体内に内装されているので、上記吸引ヘッド側の重量が小さくなり、より円滑に上記吸引ヘッドを移動させることができる。
又、請求項８による吸引機によると、請求項１〜請求項７の何れかに記載の吸引機において、上記吸引ヘッドは吸引ホースと吸引ノズルを介して上記吸引機本体に連通されているので、上記吸引ヘッド側の重量が小さくなり、より円滑に上記吸引ヘッドを移動させることができる。
【図面の簡単な説明】
【０００８】
【図１】本発明の第１の実施の形態を示す図で、電気掃除機を示す側面図である。
【図２】本発明の第１の実施の形態を示す図で、電気掃除機の吸引ヘッドを示す側断面図である。
【図３】本発明の第１の実施の形態を示す図で、電気掃除機の吸引ヘッドを示す底面図である。
【図４】本発明の第１の実施の形態を示す図で、図４（ａ）は吸引ヘッドの前端側を示す側断面図、図４（ｂ）は超音波振動子の伸縮と振動の振幅の関係を模式的に示す図である。
【図５】本発明の第１の実施の形態を示す図で、超音波振動子を示す側面図である。
【図６】本発明の第１の実施の形態を示す図で、超音波振動子の超音波振動によるビニール袋の溶融の有無に関する実験結果を示す図で、図６（ａ）は周波数が２８ｋＨｚの場合における振幅と溶融開始時間の関係を示す図、図６（ｂ）は周波数が４０ｋＨｚの場合における振幅と溶融開始時間の関係を示す図、図６（ｃ）は周波数が６０ｋＨｚの場合における振幅と溶融開始時間の関係を示す図である。
【図７】本発明の第１の実施の形態を示す図で、超音波振動子の超音波振動の振幅を６μｍ０−Ｐに設定した場合のビニール袋の溶融の有無に関する実験結果を示す図で、周波数と溶融開始時間の関係を示す図である。
【図８】本発明の第２の実施の形態を示す図で、電気掃除機の吸引ヘッドを示す底面図である。
【図９】本発明の第３の実施の形態を示す図で、電気掃除機の吸引ヘッドを示す底面図である。
【図１０】本発明の第４の実施の形態を示す図で、電気掃除機の吸引ヘッドを示す底面図である。
【図１１】本発明の第５の実施の形態を示す図で、電気掃除機を示す斜視図である。
【図１２】本発明の第６の実施の形態を示す図で、電気掃除機の吸引ヘッドを示す側断面図である。
【発明を実施するための形態】
【０００９】
以下、図１乃至図７を参照して本発明の第１の実施の形態について説明する。この第１の実施の形態は本願発明を電気掃除機に適用した例を示すものである。図１に示すように、上記電気掃除機１は、吸引機本体としての電気掃除機本体３と、吸引ホース５と、この吸引ホース５の先端に着脱可能に取り付けられた吸引ノズルユニット７と、この吸引ノズルユニット７の先端に取り付けられた吸引ヘッド９と、から構成されている。
【００１０】
上記電気掃除機本体３には、図１に示すように、まず、外筐１０がある。この外筐１０の後端側（図１右側）の幅方向両側には、後輪１１、１１（図１中片側のみ示す。）が回転可能に設けられている。また、上記外筐１０の前端側（図１中左側）には、自在キャスタ１３が設置されており、上記電気掃除機１の向きを円滑に変更できるようになっている。また、上記電気掃除機本体３内には、集塵機構（フィルタ）１５と、吸引機構としての吸引ファン１９と、が設置されている。上記吸引ファン１９はモータ２３により駆動される。上記吸引ファン１９を上記モータ２３によって回転・駆動させると、上記吸引ヘッド９、吸引ノズルユニット７、上記吸引ホース５を介して、外部の空気や塵埃が吸引される。そして、上記集塵機構１５によって上記塵埃が捕集され、清浄な空気は外部に排気される。
【００１１】
また、上記外筐１０内には、超音波発振器２５が設置されている。この超音波発振器２５は、所定の周波数及び振幅で電圧パルスを発生させるもので、この電圧パルスを後述する超音波振動子に印加する。
上記吸引ホース５は上記外筐１０に着脱可能に連結されており、また、上記吸引ホース５の先端部には把持部２７が取り付けられている。
【００１２】
上記吸引ノズルユニット７には、図２に示すように、吸引ノズル２９があり、この吸引ノズル２９にはケーブルケース３０が併設されている。上記吸引ノズル２９の基端側（図２中上側）は、上記吸引ホース５の先端側に着脱可能に挿入・連結されている。上記吸引ノズル２９の先端側の開口部が吸引口３１となっている。また、上記吸引ノズル２９の先端側に既に説明した吸引ヘッド９が、矢印ａで示す方向に回動可能に設置されている。この吸引ヘッド９には、中空形状の吸引ヘッド本体３３があり、この吸引ヘッド本体３３には被清掃面３５側に開口された凹部３７が設けられている。また、上記吸引ヘッド本体３３の図２中上側には上側開口部３９が設けられていて、この上側開口部３９内に上記吸引ノズル２９の吸引口３１が配置されている。これによって上記吸引ノズル２９と上記吸引ヘッド本体３３の凹部３７内が連通されている。
【００１３】
また、図２及び図３に示すように、上記吸引ヘッド本体３３には、４つの超音波振動子４１が設置されている。この超音波振動子４１は、図４（ａ）に示すように、基端側振動部材４３と先端側振動部材４５があり、これら基端側振動部材４３と先端側振動部材４５の間に、第１ピエゾ素子４７と第２ピエゾ素子４９が介挿されている。上記基端側振動部材４３と上記第１ピエゾ素子４７との間には第１電極板５１が介挿されており、上記第１ピエゾ素子４７と上記第２ピエゾ素子４９との間には第２電極板５３が介挿されている。また、上記超音波振動子４１は、上記先端側振動部材４５の上記第２ピエゾ素子４９側に設けられたフランジ５０を介して上記吸引ヘッド本体３３に固定されている。
【００１４】
上記第１ピエゾ素子４７と上記第２ピエゾ素子４９は、上記第１電極板５１と上記第２電極板５３及び電圧入力ケーブル５５を介して、既に説明した超音波発振器２５に接続されている。上記超音波発振器２５によって発生された電圧パルスによって、図４（ｂ）に示すように、上記第１ピエゾ素子４７や第２ピエゾ素子４９の厚み（図４（ｂ）中上下方向の大きさ）が変動し、これにより、所定の振幅（μ）の超音波振動が発生する。これにより、上記先端側振動部材４５が超音波振動される。
なお、図４（ｂ）中非動作時の状態を実線で示し、図４（ｂ）中上下方向に縮んだ状態を破線で示し、図４（ｂ）中上下方向に伸びた状態を一点鎖線で示す。
また、上記電圧入力ケーブル５５は、上記吸引ホース５の外側に沿うように設置されていて、上記ケーブルケース３０内を通って上記超音波振動子４１に接続されている。
【００１５】
上記超音波振動子４１は、図２及び図３に示すように、上記吸引ヘッド９の凹部３７内であって四隅にその先端を突出させた状態で設置されている。
上記超音波振動子４１は、図２乃至図５に示すように、略円柱形状を成しており、その先端（図３中紙面垂直方向手前側、図４中下側）の外周角部には曲面加工が施されている。また、このような形状の他、図５に示すように、上記超音波振動子４１の先端（図５中下側）の外周角部に面取加工を施す場合もある。
【００１６】
また、図２に示すように、上記４個の超音波振動子４１を設置したことにより、上記被清掃面３５と上記吸引ヘッド９の底面との間には隙間がある。上記吸引ファン１９を動作させると、この隙間を介して、外側から上記吸引ヘッド９内の凹部３７に空気が流入する。これにより、上記被清掃面３５から汚れや塵埃を分離・遊動させ、上記吸引口３１から吸引する。
【００１７】
また、上記先端側振動部材４５が超音波振動されると、その音圧により、上記吸引ヘッド９が上記被清掃面３５から僅かに浮き上がり、上記吸引ヘッド９と上記被清掃面３５との摩擦が低減される。
なお、上記吸引ヘッド９の浮上により被清掃面３５との間の隙間は大きくなるがその量は僅かであり、真空度が低下して吸引効率が下がるようなことはない。
【００１８】
次に、上記超音波振動子４１の超音波振動の周波数と振幅の設定について説明する。上記超音波振動子４１の超音波振動の周波数と振幅は、被清掃面３５が容易に溶けないように設定される。
なお、対象物が容易に溶けないとは「溶けるまでに５秒以上を必要とする」状態を意味する。
因みに、通常の掃除機で通常の掃除をする場合は、同じ場所で５秒以上静止して作業を行うことはない。
【００１９】
上記周波数と振幅の設定値は、次のような実験から導き出される。
まず、周波数が２８ｋＨｚで、振幅を３．８μｍ０−Ｐ、４．８μｍ０−Ｐ、６μｍ０−Ｐ、６．４μｍ０−Ｐ、８．４μｍ０−Ｐ、１０．３μｍ０−Ｐのそれぞれに設定した場合、ビニール袋が溶けはじめるまでの時間を測定した。これにより、図６（ａ）に示すような結果が得られた。
なお、図６（ａ）は横軸に振幅μｍ０−Ｐをとり縦軸に溶融開始時間（ｓｅｃ）をとり、両者の関係を示した図である。「０−Ｐ」は片振幅を意味している。
上記結果によると、振幅が１０．３μｍ０−Ｐのときは１０秒程度で溶けはじめ、８．４μｍ０−Ｐのときは２０秒程度で溶けはじめ、６．４μｍ０−Ｐのときは６０秒程度で溶けはじめ、３．８μｍ０−Ｐ、４．８μｍ０−Ｐ、６μｍ０−Ｐのときは１２０秒程度で溶けはじめた。
この結果に基づいて、溶けはじめるまでの時間が５秒以上かかる振幅を予測するとともに安全率を考慮して、周波数が２８ｋＨｚの場合は、振幅を１１μｍ０−Ｐ以下に設定する。
【００２０】
また、周波数が４０ｋＨｚで、振幅を２．６μｍ０−Ｐ、４．２μｍ０−Ｐ、６．２μｍ０−Ｐ、８．６μｍ０−Ｐのそれぞれに設定した場合は、図６（ｂ）に示すような結果が得られた。
なお、図６（ｂ）も横軸に振幅μｍ０−Ｐをとり縦軸に溶融開始時間（ｓｅｃ）をとり、両者の関係を示した図である。
上記結果によると、振幅が８．６μｍ０−Ｐのときは０秒で溶け始め、６．２μｍ０−Ｐのときは２秒程度で溶けはじめ、４．２μｍ０−Ｐのときは６秒程度で溶け始め、２．６μｍ０−Ｐのときは２０秒程度で溶け始めた。そこで、周波数が４０ｋＨｚの場合は、振幅を４μｍ０−Ｐ以下に設定した。
【００２１】
また、周波数が６０ｋＨｚで、振幅を２．６μｍ０−Ｐ、４．２μｍ０−Ｐ、６．２μｍ０−Ｐのそれぞれに設定した場合は、図６（ｃ）に示すような結果が得られた。
なお、図６（ｃ）も横軸に振幅μｍ０−Ｐをとり縦軸に溶融開始時間（ｓｅｃ）をとり、両者の関係を示した図である。
上記結果によると、振幅が６．２μｍ０−Ｐのときは０秒程度で溶け始め、４．２μｍ０−Pのときは１秒程度で溶け始め、２．６μｍ０−Ｐのときは２０秒程度で溶け始めた。そこで、周波数が６０ｋＨｚの場合は、振幅を３μｍ０−Ｐ以下に設定した。
【００２２】
上記実験の結果の妥当性を確認するために、振幅を６μｍ０−Ｐに設定し、周波数を２８ｋＨｚ、４０ｋＨｚ、６０ｋＨｚとした場合について、溶融の有無を確認する実験を行った。その結果を図７に示す。それによると、周波数が６０ｋＨｚのときは０秒で溶け始め、周波数が４０ｋＨｚのときは１秒で溶け始め、周波数が２８ｋＨｚのときは６０秒で溶け始めた。このことから、上記設定値の妥当性を確認することができる。
【００２３】
以上の構成を基にその作用を説明する。
まず、吸引ノズルユニット７を吸引ホース５の先端に取り付けるとともに、吸引ノズルユニット７の先端に吸引ヘッド９を取り付ける。そして、吸引ファン１９を動作させるとともに超音波発振器２５を動作させる。これにより、吸引口３１からの吸引が開始されるとともに、超音波振動子４１の超音波振動が開始される。
次に、被清掃面３５に上記先端側振動部材４５の先端を接触させるようにして上記被清掃面３５の清掃作業を行う。これにより、上記吸引口３１から上記被清掃面３５の表面の汚れや塵埃が吸引される。また、上記超音波振動子４１の先端側振動部材４５の超音波振動により上記吸引ヘッド９が上記被清掃面３５から僅かに浮上され、これにより上記吸引ヘッド９と上記被清掃面３５の摩擦が低減されその移動が円滑なものとなる。
なお、上記吸引ヘッド９の浮上量は僅かであり、よって、上記被清掃面３５と上記吸引ヘッド９の底面との間の隙間の大きさは殆ど変わらないので、吸引力の低下はない。
【００２４】
以上、本実施の形態によると次のような効果を奏することができる。
まず、超音波振動子４１の先端側振動部材４５の超音波振動により吸引ヘッド９が被清掃面３５から僅かに浮上されるので、吸引ヘッド９の底面と上記被清掃面３５の摩擦が低減され、これにより、上記吸引ノズルユニット７を円滑に移動させることができる。
また、上記超音波振動子４１は４箇所に設けられているので、摩擦を効果的に低減させることができる。
また、上記吸引ヘッド９の浮上量は僅かであり、吸引ヘッド９の底面と被清掃面３５との間の隙間の大きさは殆ど変わらないので、吸引力を低下させることはない。
また、上記吸引ヘッド９の底面側に４個の先端側振動部材４５を取り付けという簡単な構成で所望の効果を奏することができる。
また、超音波発振器２５は上記電気掃除機本体３側に設置されているので、上記吸引ヘッド９の重量が重くなることはない。これによっても、上記吸引ヘッド９を円滑に移動させることができる。
また、上記先端側振動部材４５の先端の外周角部には曲面加工又は面取加工が施されているので、先端側振動部材４５が周囲の物に引っ掛かるようなこともなく、より円滑な動作を提供することができる。
また、超音波振動の周波数と振幅は、被清掃面３５が溶融しない範囲で設定されているので、被清掃面３５が溶融してしまうようなこともない。
【００２５】
次に、図８を参照して本発明の第２の実施の形態を説明する。
この第２の実施の形態の場合も、本願発明を電気掃除機に適用した例を示すものであり、その構成は前記第１の実施の形態と略同様であるが、吸引口３１の位置と超音波振動子４１の数と配置が異なっている。
すなわち、図８に示すように、上記吸引口３１は、中央より前方側（図８中上側）に配置され、上記超音波振動子４１は、上記吸引ヘッド９の幅方向（図８中左右方向）両端側の前方（図８中上側）寄りにそれぞれ１個ずつ、上記吸引口３１の後方（図８中下側）に１個の合計３個が配置されている。
なお、その他の構成は前記第１の実施の形態と同じであり図中同一部分には同一符号を付して示しその説明は省略する。
【００２６】
この第２の実施の形態の場合は、前記第１の実施の形態と同様の作用・効果を奏するほか、次のような作用・効果を奏する。
すなわち、合計３個の超音波振動子４１が設置されていて、後方側（図８中下側）よりも、前方側（図８中上側）の方が多いため、進行方向（図８中上側）前方側において摩擦を効果的に低減させることができ、吸引ヘッド９の移動をより円滑なものとすることができる。
【００２７】
次に、図９を参照して本発明の第３の実施の形態について説明する。
この第３の実施の形態の場合も、本願発明を電気掃除機に適用した例を示している。その構成は前記第１の実施の形態と略同様であるが、吸引口３１の位置、超音波振動子４１の形状、及び、上記超音波振動子４１の数と配置が異なっている。
すなわち、図９に示すように、上記吸引口３１は、中央より後方側（図９中下側）に配置されている。また、上記超音波振動子４１の形状は、前後方向（図９中上下方向）に長い略直方体形状となっている。また、上記超音波振動子４１は、上記吸引ヘッド９の幅方向（図９中左右方向）両端側に１個ずつの合計２個が配置されている。
なお、その他の構成は前記第１の実施の形態と同じであり図中同一部分には同一符号を付して示しその説明は省略する。
【００２８】
この第３の実施の形態においても、前記第１の実施の形態と同様の効果を奏するほか、次のような作用・効果を奏する。
すなわち、吸引口３１が中央より後方側（図９中下側）に配置されていて、超音波振動子４１の先端側振動部材４５が前後方向（図９中上下方向）に長いので、進行方向（図９中上側）前方において、摩擦をより効果的に低減させることができ、吸引ヘッド９の移動をより円滑なものとすることができる。
【００２９】
次に、図１０を参照して本発明の第４の実施の形態を説明する。
この第４の実施の形態の場合も、本願発明を電気掃除機に適用した例を示している。その構成は前記第１の実施の形態と略同様であるが、吸引口３１の位置、超音波振動子４１の先端側振動部材４５の形状、及び、上記超音波振動子４１の数と配置が異なっている。
すなわち、図１０に示すように、上記吸引口３１は、中央より後方側（図１０中下側）に配置されている。また、上記超音波振動子４１の形状は、幅方向（図１０中上下方向）に長い略直方体形状となっている。また、上記超音波振動子４１は、上記吸引ヘッド９の進行方向（図１０中上側）端部側に１個配置されている。
なお、その他の構成は前記第１の実施の形態と同じであり図中同一部分には同一符号を付して示しその説明は省略する。
【００３０】
この第４の実施の形態の場合は、前記第１の実施の形態と同様の作用・効果を奏するほか、次のような作用・効果を奏する。
すなわち、吸引口３１は中央より後方側（図１０中下側）に配置されていて、超音波振動子４１が吸引ヘッド９の進行方向（図１０中上側）端部側に１つが配置されているので、進行方向（図１０中上側）前方において、摩擦をより効果的に低減させることができ、簡易な構成により効果的に吸引ヘッド９の底面と被清掃面３５の摩擦が低減され、吸引ヘッド９の移動をより円滑なものとすることができる。
【００３１】
次に、図１１を参照して本発明の第５の実施の形態を説明する。
この第５の実施の形態は、本願発明をハンディタイプの電気掃除機に適用した例を示している。この電気掃除機５７の場合には電気掃除機本体５９に吸引ノズルユニット７が一体化された構成となっている。
この第５の実施の形態の場合も、前記第１の実施の形態と同様の作用・効果を奏する。
【００３２】
次に、図１２を参照して本発明の第６の実施の形態を説明する。
この第６の実施の形態も、本願発明を電気掃除機に適用した例を示している。その構成は前記第１の実施の形態と略同様であるが、以下の点で異なっている。
すなわち、吸引ヘッド６３の構成が異なる。
【００３３】
上記吸引ヘッド６３は、前記第１の実施の形態の場合の吸引ヘッド９と略同様の構成であるが、底面側（図１２中下側）にカバ６５と緩衝材６７が設置されている点で異なっている。
上記カバ６５は、上記吸引ヘッド６３の吸引ヘッド本体３３の下側に設置され、被清掃面３５に接触される。また、上記カバ６５は、超音波振動子４１の先端側振動部材４５に固着されている。よって、上記超音波振動子４１によって上記カバ６５が超音波振動され、上記吸引ヘッド６３が浮きあがる。
また、上記カバ６５には、カバ側吸引口６９が形成されている。
【００３４】
また、上記緩衝材６７は、上記カバ６５の反被清掃面３５側（図１２中上側）に設置されている。上記超音波振動子４１の先端側振動部材４５の側面側（図１２中左右方向両側及び紙面垂直方向両側）は上記緩衝材６７によって囲まれていて、上記先端側振動部材４５の振動が漏れないようになっている。
上記緩衝材６７には緩衝材側吸引口７１が形成されている。
【００３５】
また、上記カバ側吸引口６９及び上記緩衝材側吸引口７１によって、上記吸引ヘッド本体３３の凹部３７内と外部とが連通されている。
なお、前記第１の実施の形態と同一部分には同一符号を付して示しその説明は省略する。
【００３６】
この第６の実施の形態の場合は、前記第１の実施の形態と同様の作用・効果を奏することができるほか、次のような作用・効果を奏する。
すなわち、吸引ヘッド６３は、底面側（図１２中下側）に被清掃面３５に接触されるカバ６５が設置されていて、このカバ６５が超音波振動子４１の先端側振動部材４５によって超音波振動されるので、効果的に摩擦を低減できる。
また、緩衝材６７が設置されているので、超音波振動の漏れを抑制して更に効果的に摩擦を低減できる。
【００３７】
尚、本発明は前記第１乃至第６の実施の形態に限定されるものではない。
例えば、超音波振動子の先端に複数の凸部が設けられ、この凸部の先端面が被清掃面に接触されるものも考えられる。
また、前記第１乃至第６の実施の形態では、超音波振動子は先端側振動部材を介して吸引ヘッド本体に取り付けられていたが、基端側振動部材を介して取り付けられる場合も考えられる。
また、超音波振動子の形状、数、等については、様々な場合が考えられる。
また、前記第１の実施の形態では、電圧入力ケーブルを吸引ホースの外側に沿うように設置していたが、上記吸引ホースの内部に通してもよい。
また、本発明による吸引機を、集塵機、クリーナ、等に適用する場合もある。
その他、図示した構成はあくまで一例でありそれに限定されるものではない。
【産業上の利用可能性】
【００３８】
本発明は、例えば、電気掃除機、集塵機、クリーナ等の吸引機に係り、特に、吸引力を低下させることなく吸引ヘッドの動作の円滑化を図ることができるように工夫したものに関し、例えば、家庭用の電気掃除機に好適である。
【符号の説明】
【００３９】
１  電気掃除機（吸引機）
３  電気掃除機本体（吸引機本体）
５  吸引ホース
９  吸引ヘッド
１５  集塵機構（フィルタ）
１９  吸引ファン（吸引機構）
２５  超音波発振器
２９  吸引ノズル
３５  被清掃面
４１  超音波振動子
５７  電気掃除機（吸引機）
５９  電気掃除機本体（吸引機本体）
６３  吸引ヘッド
６５  カバ
６７  緩衝材
【図１】
2018099157.tif 000003
【図２】
2018099157.tif 000004
【図３】
2018099157.tif 000005
【図４】
2018099157.tif 000006
【図５】
2018099157.tif 000007
【図６】
2018099157.tif 000008
【図７】
2018099157.tif 000009
【図８】
2018099157.tif 000010
【図９】
2018099157.tif 000011
【図１０】
2018099157.tif 000012
【図１１】
2018099157.tif 000013
【図１２】
2018099157.tif 000014